(57)【要約】      （修正有）【課題】ろうそく又は線香等の固形可燃物の燃焼により音を発生させて時刻を知らせる音源付き火時計に関し、音高の異なる複数の音を発生させることができるようにした音源付き火時計を提供する。【解決手段】音源付き火時計１は、固形可燃物２と、固形可燃物２を立設するための台座３と、叩打体４とを有する。音源付き火時計１は、固形可燃物２の燃焼に伴い、固形可燃物２の側面に突き刺された叩打体４が、台座３の上面に設けられた個々に厚さが異なる複数の被叩打面３ａに落下して、音高が異なる叩打音を生ずることができ、もって、使用者に時刻を知らせることができる。【選択図】図１
0003145648.tif 000002
【実用新案登録請求の範囲】
【請求項１】
固形可燃物の燃焼により音を発生させて時刻を知らせる音源付き火時計であって、固形可燃物と、台座と、叩打体とから構成され、該固形可燃物は先端部から燃焼する柱状の固形可燃物であり、該固形可燃物が立設されている該台座の上面には個々に厚さが相違する複数の被叩打面が設けられており、該叩打体は針状体であってその一端が該被叩打面の上空に位置するように他端が該固形可燃物に突き刺されていることを特徴とする音源付き火時計。
【請求項２】
固形可燃物の燃焼により音を発生させて時刻を知らせる音源付き火時計であって、固形可燃物と、台座と、叩打体と、ひも部材と、ひも部材架設支柱とから構成され、該固形可燃物は先端部から燃焼する柱状の固形可燃物であり、該固形可燃物と該ひも部材架設支柱とが立設されている該台座の上面には個々に厚さが相違する複数の被叩打面が設けられており、該ひも部材は可燃性のひも部材であって該固形可燃物の側面に接触するように該ひも部材架設支柱に架設されており、該叩打体は該被叩打面の上空に該ひも部材に吊り下げられていることを特徴とする音源付き火時計。
【請求項３】
固形可燃物の燃焼により音を発生させて時刻を知らせる音源付き火時計であって、固形可燃物と、台座と、叩打体と、載置筒と、載置筒架設支柱と、ひも部材と、ひも部材架設支柱とから構成され、該固形可燃物は先端部から燃焼する柱状の固形可燃物であって該載置筒内に載置されており、該載置筒架設支柱と該ひも部材架設支柱とが立設されている該台座の上面には個々に厚さが相違する複数の被叩打面が設けられ、該載置筒は半筒状の部材であって上縁部に上方に伸びるひも掛け突起が設けられ該台座の上空に横向きに該載置筒架設支柱に架設されており、該載置筒架設支柱は該台座を挟んで対置されており、該ひも部材は可燃性のひも部材であって該固形可燃物の側面に接触するように該ひも掛け突起を介して該ひも部材架設支柱に架設されており、該叩打体は該被叩打面の上空に該ひも部材に吊り下げられていることを特徴とする音源付き火時計。
【請求項４】
固形可燃物の燃焼により音を発生させて時刻を知らせる音源付き火時計であって、固形可燃物と、台座と、撥弦体と、弦とから構成され、該固形可燃物は先端部から燃焼する柱状の固形可燃物であり、該固形可燃物が立設されている該台座は断面形状が下方に向かって広がる斜面を有する盛り上がり部を有する盤状の部材であって、該斜面には複数の弦が水平方向に張られており、該撥弦体は球状部と針状部とからなり先端の鋭利な複数の突起の設けられた球状部が該斜面の上空に位置するように針状部が該固形可燃物に突き刺されていることを特徴とする音源付き火時計。
【考案の詳細な説明】
【技術分野】
【０００１】
本考案は、火時計に関し、ろうそく又は線香等の固形可燃物の燃焼により音を発生させて時刻を知らせる音源付き火時計に関する。
【背景技術】
【０００２】
ろうそく又は線香等の固形可燃物の燃焼により時間を計る火時計としては、古来、その燃焼速度に応じて一定の間隔で目盛りを付けた該固形可燃物を燃焼させ、いずれの目盛りまで該固形可燃物が燃焼したのかを見ることにより時間を計る火時計が存在している。
【０００３】
また、従来、ろうそく又は線香等の固形可燃物の燃焼により音を発生させて時刻を知らせる音源付き火時計としては、該固形可燃物の側面に一定の間隔で突き刺さした釘又はピン等の叩打体が、該固形可燃物の燃焼に伴って落下し、該固形可燃物が立設された台座の上面を叩打することにより、叩打音を発生させて時刻を知らせることができる火時計が存在する。該従来技術は、広く一般に公知の技術であり、文献公知発明ではないため、特に、先行技術文献は示さない。
【考案の開示】
【考案が解決しようとする課題】
【０００４】
しかしながら、上記の従来技術に係る固形可燃物の燃焼により音を発生させて時刻を知らせる音源付き火時計は、台座の上面が単一の被叩打面から構成されていたため、音高の異なる複数の音を発生させることができなかった。本考案の第一の課題は、固形可燃物の燃焼により音を発生させて時刻を知らせる音源付き火時計につき、音高の異なる複数の音を発生させて時刻を知らせることができる火時計を提供することにある。
【０００５】
また、上記の従来技術に係る固形可燃物の燃焼により音を発生させて時刻を知らせる音源付き火時計は、釘又はピン等の叩打体が該被叩打面を叩打することによって叩打音を生じさせるのみであったため、音色の変化に乏しいという問題があった。本考案の第二の課題は、固形可燃物の燃焼により音を発生させて時刻を知らせる音源付き火時計につき、変化に富んだ音色をもって時刻を知らせることができる火時計を提供することにある。
【課題を解決するための手段】
【０００６】
本考案の第一の課題を解決するため、請求項１に係る固形可燃物の燃焼により音を発生させて時刻を知らせる音源付き火時計は、固形可燃物と、台座と、叩打体とから構成される。該固形可燃物は、先端部から燃焼する柱状の固形可燃物でおり、該台座に立設されている。該台座は、盤状の部材であり、該台座の上面には個々に厚さが相違する複数の被叩打面が設けられている。該叩打体は、針状の部材であって、その一端が該被叩打面の上空に位置するように他端が該固形可燃物に突き刺されている。
【０００７】
本考案の第一の課題を解決するため、請求項２に係る固形可燃物の燃焼により音を発生させて時刻を知らせる音源付き火時計は、固形可燃物と、台座と、叩打体と、ひも部材と、ひも部材架設支柱とから構成される。該固形可燃物は、先端部から燃焼する柱状の固形可燃物であり、該台座に立設されている。該台座は、盤状の部材であり、該台座の上面には個々に厚さが相違する複数の被叩打面が設けられている。該ひも部材は、可燃性のひも部材であり、該固形可燃物の側面に接触するように、該台座に立設された該ひも部材架設支柱に架設されている。該叩打体は、該被叩打面の上空に、該ひも部材に吊り下げられている。
【０００８】
本考案の第一の課題を解決するため、請求項３に係る固形可燃物の燃焼により音を発生させて時刻を知らせる音源付き火時計は、固形可燃物と、台座と、叩打体と、載置筒と、載置筒架設支柱と、ひも部材と、ひも部材架設支柱とから構成される。該固形可燃物は、先端部から燃焼する柱状の固形可燃物であり、該載置筒内に載置されている。該台座は、盤状の部材であり、該台座の上面には個々に厚さが相違する複数の被叩打面が設けられている。該載置筒は、半筒状の部材であり、上縁部に上方に伸びるひも掛け突起が設けられ、該台座の上空に、横向きに、該載置筒架設支柱に架設されている。該載置筒架設支柱は、該台座を挟んで対置され、該台座に立設されている。該ひも部材は、可燃性のひも部材であり、該固形可燃物の側面に接触するように、該ひも掛け突起を介して、該台座に立設された該ひも部材架設支柱に架設されている。該叩打体は、該被叩打面の上空に、該ひも部材に吊り下げられている。
【０００９】
本考案の第一及び第二の課題を解決するため、請求項４に係る固形可燃物の燃焼により音を発生させて時刻を知らせる音源付き火時計は、固形可燃物と、台座と、撥弦体と、弦とから構成される。該固形可燃物は、先端部から燃焼する柱状の固形可燃物であり、該台座に立設されている。該台座は、断面形状が下方に向かって広がる斜面を備えた盛り上がり部を有する盤状の部材であり、該斜面には複数の弦が水平方向に張られている。該撥弦体は、球状部と針状部とからなり、先端の鋭利な複数の突起の設けられた球状部が該斜面の上空に位置するように針状部が該固形可燃物に突き刺されている。
【考案の効果】
【００１０】
請求項１から３に記載した本考案に係る固形可燃物の燃焼により音を発生させて時刻を知らせる音源付き火時計は、上記の通りの構成であるから、以下のような効果を得ることができる。
【００１１】
請求項１から３に記載した固形可燃物の燃焼により音を発生させて時刻を知らせる音源付き火時計は、個々に厚さが相違する複数の被叩打面が該台座の上面に設けられているから、該叩打体が個々の該被叩打面を叩打することにより、個々に音高の異なる複数の音を発生させて時刻を知らせることができるという効果を奏することができる。よって、使用者が該固形可燃物の側面所望の位置に該叩打体を突き刺して、該固形可燃物を燃焼させることにより、所望の時刻を知らせることができる。
【００１２】
更に、請求項１から３に記載した固形可燃物の燃焼により音を発生させて時刻を知らせる音源付き火時計は、個々の被叩打面の上空に位置するように、同一の高さ位置に複数の叩打体を用意しておけば、同時に複数の被叩打面を叩打することができ、もって、和音を発生させることができるという効果を奏することができる。
【００１３】
従って、請求項１から３に記載した固形可燃物の燃焼により音を発生させて時刻を知らせる音源付き火時計は、該火時計につき、音高の異なる複数の音を発生させて時刻を知らせることができる火時計を提供するという本考案の第一の課題を解決することができる。
【００１４】
請求項４に記載した本考案に係る固形可燃物の燃焼により音を発生させて時刻を知らせる音源付き火時計は、上記の通りの構成であるから、以下のような効果を得ることができる。
【００１５】
請求項４に記載した固形可燃物の燃焼により音を発生させて時刻を知らせる音源付き火時計は、該撥弦体の有する先端の鋭利な複数の突起が、該台座の盛り上がり部の斜面に水平方向に張られた複数の弦を弾くことにより、音高の異なる複数の音を発生させることができるとともに、ギターやハープ等の撥弦楽器が奏でるような音を発生させることができるから、変化に富んだ音色をもって時刻を知らせることができるという効果を奏することができる。よって、使用者が該固形可燃物の側面所望の位置に該撥弦体を突き刺して、該固形可燃物を燃焼させることにより、所望の時刻を知らせることができる。
【００１６】
従って、請求項４に記載した固形可燃物の燃焼により音を発生させて時刻を知らせる音源付き火時計は、該火時計につき、音高の異なる複数の音を発生させて時刻を知らせることができる火時計を提供するという本考案の第一の課題を解決することができるとともに、変化に富んだ音色をもって時刻を知らせることができる火時計を提供するという本考案の第二の課題を解決することができる。
【考案を実施するための最良の形態】
【００１７】
以下、本考案に係る固形可燃物の燃焼により音を発生させて時刻を知らせる音源付き火時計について添付図面に基づいて説明する。図１は、本考案の第一実施形態に係る音源付き火時計を示した作用説明図である。図２は、本考案の第二実施形態に係る音源付き火時計を示した作用説明図である。図３は、本考案の第一実施形態及び第二実施形態に係る音源付き火時計における台座の断面図である。図４は、本考案の第三実施形態に係る音源付き火時計を示した作用説明図である。図５は、本考案の第四実施形態に係る音源付き火時計を示した作用説明図である。図６は、本考案の第四実施形態に係る音源付き火時計における撥弦体の斜視図である。
【００１８】
まず、第一実施形態ないし第四実施形態に係る音源付き火時計に共通する要素である固形可燃物２について、添付図面に基づいて説明する。
【００１９】
固形可燃物２は、例えば、ろうそく、線香等の先端部から燃焼してゆく柱状の固形可燃物である。図では、固形可燃物２の形状は、円柱状であるが、柱状であれば、角柱状等その他の形状にすることもできる。尚、固形可燃物２は、顔料を練り込めたろうそく等を用いると、使用者がその色彩を楽しむことができ、また、香料を練り込めたろうそくや蜜蝋を原材料としたろうそくあるいは線香等を使用すると、使用者がその芳香を楽しむことができ、好適である。更に、固形可燃物２の燃焼速度に応じて、固形可燃物２の側面一定の位置に目盛り２ａを付けておくことにより、使用者は、所望の目盛りの位置に叩打体４又は撥弦体１０を突き刺し、音を発生させる時期を簡便に設定することができる。
【００２０】
以上が、第一実施形態ないし第四実施形態に係る音源付き火時計に共通する要素である固形可燃物２についての説明である。次に、第一実施形態ないし第三実施形態に係る音源付き火時計に共通する要素である台座３について説明する。
【００２１】
台座３は、図１ないし図４に図示するように、盤状の部材であり、台座３の上面には、複数の被叩打面３ａが設けられている。被叩打面３ａは、図３に図示するように、所望の音高に合わせてそれぞれの厚さを異にするものである。台座３は、例えば、金属で形成する場合、金属製の平板を公知のプレス加工あるいは鍛造加工によって所望の音高に合わせた厚さになるよう凹状に成形してその上面を作製し、有底の筒状の部材に該上面を溶着して作製することができる。尚、被叩打面３ａの数は、特に、図示した数に限定されるものではない。
【００２２】
台座３は、図３に図示するように、内部が空洞３ｂになっていると、叩打音ないし撥弦音を増幅させることができ、好適である。また、図示するように、台座３に固形可燃物２を立設する場合、先端が鋭利な突起状の固形可燃物保持部３ｃを設け、固形可燃物保持部３ｃに固形可燃物２の下端部を突き刺して立設すると、音源付き火時計１の使用時における固形可燃物２の転倒を防ぐことができ、好適である。尚、図では、固形可燃物２は、台座３の中央に立設されているが、叩打体４を被叩打面３ａの上空に位置させることができるならば、特に、この位置に限定されるものではない。
【００２３】
以上が、第一実施形態ないし第三実施形態に係る音源付き火時計に共通する要素である台座３についての説明である。次に、第一実施形態に係る音源付き火時計に特有の構成について説明する。
【００２４】
叩打体４は、図１に図示するように、針状の部材であり、少なくともその一端が鋭利であれば、固形可燃物２に突き刺すのが容易となり、好適である。叩打体４には、例えば、市販の金属製の釘等を用いることができる。叩打体４は、図示するように、その一端が被叩打面３ａの上空に位置するように、他端が固形可燃物２に突き刺されている。尚、叩打体４の数は、特に、図示した数に限定されるものではない。
【００２５】
固形可燃物２の燃焼により、固形可燃物２に突き刺されていた叩打体４が個々の被叩打面３ａに落下して個々に音高の異なる叩打音を生ずることにより、使用者に時刻を知らせることができる。更に、複数の叩打体４を個々の被叩打面３ａの上空にそれぞれの一端が位置するようにそれぞれの他端を固形可燃物２の同一の高さ位置に突き刺しておけば、複数の被叩打面３ａを同時に叩打することができ、叩打音を和音とすることもできる。
【００２６】
以上が、第一実施形態に係る音源付き火時計に特有の構成についての説明である。次に、第二実施形態に係る音源付き火時計に特有の構成について説明する。
【００２７】
叩打体４は、図２に図示するように、クリップ具４ａとクリップ具４ａに取り付けられた錘４ｂとから構成される。クリップ具４ａには、例えば、市販の洗濯ばさみ等の公知のクリップ具を用いることができる。叩打体４は、クリップ具４ａがひも部材５を掴んで、被叩打面３ａの上空に吊り下げられている。尚、叩打体４の数は、特に、図示した数に限定されるものではない。
【００２８】
ひも部材５は、綿ひもや麻ひも等の公知のひも用材料を用いることができるが、叩打体４を吊り下げても容易に切れることがない程度の強度を有し、かつ、固形可燃物２の燃焼に伴い容易に焼き切れる程度の燃焼性を有するひも用材料であれば、特に限定されるものではない。ひも部材５は、図２に図示するように、固形可燃物２の側面に接触しており、固形可燃物２の燃焼に伴い、焼き切れるようになっている。
【００２９】
ひも部材架設支柱６は、図２に図示するように、柱状の部材であり、その側面にはひも掛け部６ａが設けられており、台座３に立設されている。ひも掛け部６ａは、縦断面がＬ字型の形状をした部材である。ひも部材５は、その両端がひも掛け部６ａに掛けられて、被叩打面３ａの上空に、ひも部材架設支柱６の間に架設されている。ひも掛け部６ａは、固形可燃物２の燃焼速度に応じて、一定の位置に設けると、使用者は、所望のひも掛け部６ａにひも部材５を掛けて、音を発生させる時期を簡便に設定することができる。
【００３０】
固形可燃物２の燃焼により、固形可燃物２に接触しているひも部材５が焼き切れ、ひも部材５に吊り下げられていた叩打体４が個々の被叩打面３ａに落下して個々に音高の異なる叩打音を生ずることにより、使用者に時刻を知らせることができる。更に、個々の被叩打面３ａの上空に複数の叩打体４を、同一の高さ位置に、ひも部材５に吊り下げておけば、複数の被叩打面３ａを同時に叩打することができ、叩打音を和音とすることもできる。
【００３１】
以上が、第二実施形態に係る音源付き火時計に特有の構成についての説明である。次に、第三実施形態に係る音源付き火時計に特有の構成について説明する。
【００３２】
載置筒７は、図４に図示するように、半筒状の部材であり、上縁部に上方に伸びるひも掛け突起７ａが設けられ、固形可燃物２が内部に載置される。載置筒架設支柱８は、台座３に立設されており、台座３を挟んで対置されている。載置筒７は、台座３の上空に、横向きに、載置筒架設支柱８に架設されている。
【００３３】
ひも部材５は、図４に図示するように、固形可燃物２に接触するように、ひも掛け突起７ａを介して、その両端がひも掛け部６ａに架設されている。叩打体４は、クリップ具４ａがひも部材５を掴んで、被叩打面３ａの上空に吊り下げられている。尚、ひも部材５の原材料については、上記の第二実施形態に係るひも部材５と同一であるから、説明を省略する。
【００３４】
叩打体４及びひも部材架設支柱６については、上記の第二実施形態に係る叩打体４及びひも部材架設支柱６と同一であるから、説明を省略する。
【００３５】
固形可燃物２の燃焼により、固形可燃物２に接触しているひも部材５が焼き切れることにより、ひも部材５に吊り下げられていた叩打体４が被叩打面３ａに落下して個々に音高の異なる叩打音を生ずることにより、使用者に時刻を知らせることができる。更に、個々の被叩打面３ａの上空に複数の叩打体４を、同一の高さ位置に、ひも部材５に吊り下げておけば、複数の被叩打面３ａを同時に叩打することができ、叩打音を和音とすることもできる。
【００３６】
以上が、第三実施形態に係る音源付き火時計に特有の構成についての説明である。最後に、第四実施形態に係る音源付き火時計に特有の構成について説明する。
【００３７】
台座３は、図５に図示するように、その中央に盛り上がり部３ｄを有する盤状の部材である。盛り上がり部３ｄの側面は、断面形状が下方に向かって広がる斜面３ｅとなっており、斜面３ｅには、弦巻き付け部３ｆが複数設けられている。弦９は、水平方向に、弦巻き付け部３ｆの間に張られている。弦９は、その長さや太さを変更することにより、あるいは弦巻き付け部３ｆへの巻き付け具合を調節することにより、それぞれ一定の音高にすることができる。尚、台座３は、図示するように、周縁部が上方に曲折されていると、落下した撥弦体１０の台座３からの脱出を防止することができ好適である。
【００３８】
撥弦体１０は、図６に図示するように、球状部１０ａと針状部１０ｂとからなり、球状部１０ａの表面には先端が鋭利な複数の突起１０ｃが設けられている。撥弦体１０は、球状部１０ａが斜面３ｅの上空に位置するように、針状部１０ｂが固形可燃物２に突き刺されている。針状部１０ｂの長さは、複数の弦９の間に引っ掛かることがないように、突起１０ｃの長さの２〜３倍程度の長さとするのが好適である。尚、撥弦体１０の数は、特に、図示した数に限定されるものではない。
【００３９】
固形可燃物２の燃焼により、固形可燃物２に突き刺されていた撥弦体１０が斜面３ｅ上に落下し、球状部１０ａが斜面３ｅに沿って転がって、突起１０ｃが弦９を弾くことにより、音高の異なる複数の音が発生し、使用者に時刻を知らせることができる。尚、図５に図示するように、斜面３ｅを複数の領域に分けて、領域毎に、弦９の太さ・長さ・張り方等を異にした上で、複数の撥弦体１０のそれぞれの球状部１０ａを異なる斜面３ｅの上空に位置するように針状部１０ｂを固形可燃物２の同一の高さ位置に突き刺しておけば、突起１０ｃが弦９を弾く際に、より音色に富んだ音を発生させることができる。
【図面の簡単な説明】
【００４０】
【図１】本考案の第一実施形態に係る音源付き火時計を示した作用説明図である。
【図２】本考案の第二実施形態に係る音源付き火時計を示した作用説明図である。
【図３】図１に示した本考案の第一実施形態及び図２に示した本考案の第二実施形態に係る音源付き火時計における台座の断面図である。
【図４】本考案の第三実施形態に係る音源付き火時計を示した作用説明図である。
【図５】本考案の第四実施形態に係る音源付き火時計を示した作用説明図である。
【図６】図５に示した本考案の第四実施形態に係る音源付き火時計における撥弦体の斜視図である。
【符号の説明】
【００４１】
１  音源付き火時計
２  固形可燃物
２ａ  目盛り
３  台座
３ａ  被叩打面
３ｂ  空洞
３ｃ  固形可燃物保持部
３ｄ  盛り上がり部
３ｅ  斜面
３ｆ  弦巻き付け部
４  叩打体
４ａ  クリップ具
４ｂ  錘
５  ひも部材
６  ひも部材架設支柱
６ａ  ひも掛け部
７  載置筒
７ａ  ひも掛け突起
８  載置筒架設支柱
９  弦
１０  撥弦体
１０ａ  球状部
１０ｂ  針状部
１０ｃ  突起
【図１】
0003145648.tif 000003
【図２】
0003145648.tif 000004
【図３】
0003145648.tif 000005
【図４】
0003145648.tif 000006
【図５】
0003145648.tif 000007
【図６】
0003145648.tif 000008